(57)【要約】【課題】放射線による動画撮影の際に、ユーザーである放射線技師等の撮影者による画像確認を早期に行うことが可能で、患者にかかる負担を軽減することが可能な放射線画像表示装置を提供する。【解決手段】動画撮影で得られた各フレームの画像データＤに基づいてプレビュー画像ｐpreを生成して表示部６０ａ上に表示する放射線画像表示装置６０において、画像データＤに基づいてプレビュー画像を生成する生成手段６１と、プレビュー画像を保持する保持手段６２と、プレビュー画像に対して再生制御や画像調整を行う再生制御手段６４及び画像調整手段６５と、プレビュー画像を動画撮影中に表示部６０ａ上に表示させるとともに、再生制御手段６４の再生制御に従ってプレビュー画像を表示させ、又は画像調整手段６５が画像調整を行ったプレビュー画像を表示させる表示手段６３とを備える。【選択図】図６
2018157869.tif 000002
【特許請求の範囲】
【請求項１】
放射線による被写体の動画撮影で得られた複数のフレームの画像データに基づいてプレビュー用の動画像を生成して表示部上に表示する放射線画像表示装置において、
前記複数のフレームの画像データに基づいて前記プレビュー用の動画像を生成する生成手段と、
前記生成手段が生成した前記プレビュー用の動画像を保持する保持手段と、
前記プレビュー用の動画像に対して再生制御を行う再生制御手段と、
前記プレビュー用の動画像に対して画像調整を行う画像調整手段と、
前記保持手段により保持されている前記プレビュー用の動画像を動画撮影中に前記表示部上に表示させるとともに、前記再生制御手段の再生制御に従って前記プレビュー用の動画像を前記表示部上に表示させ、又は前記画像調整手段が画像調整を行った前記プレビュー用の動画像を前記表示部上に表示させる表示手段と、
を備えることを特徴とする放射線画像表示装置。
【請求項２】
前記生成手段は、動画撮影におけるフレームレートと同じフレームレートで又はそれより低いフレームレートで表示されるように前記プレビュー用の動画像を生成することを特徴とする請求項１に記載の放射線画像表示装置。
【請求項３】
前記生成手段は、前記複数のフレームの中から所定の割合で前記フレームを抽出し、抽出した前記フレームの画像データに基づいて前記プレビュー用の動画像を生成することを特徴とする請求項２に記載の放射線画像表示装置。
【請求項４】
前記生成手段は、前記画像データが転送されてくる際の転送速度によって前記割合を変更することを特徴とする請求項３に記載の放射線画像表示装置。
【請求項５】
前記生成手段は、前記フレームごとの前記画像データの中から所定の割合で前記画像データを抽出し、抽出した前記画像データに基づいて前記プレビュー用の動画像を生成することを特徴とする請求項１から請求項４のいずれか一項に記載の放射線画像表示装置。
【請求項６】
前記生成手段は、本画像としての動画像を生成する際の画像処理と同等又はそれよりも簡易な画像処理を前記複数のフレームの画像データに施して前記プレビュー用の動画像を生成することを特徴とする請求項１から請求項５のいずれか一項に記載の放射線画像表示装置。
【請求項７】
前記再生制御手段は、予め設定された仕方に従って、前記プレビュー用の動画像に対して、再生、逆再生、停止、早送り、巻戻し、コマ送り、コマ戻し、リピート再生のうちの１つ以上の再生制御を行うことを特徴とする請求項１から請求項６のいずれか一項に記載の放射線画像表示装置。
【請求項８】
前記再生制御手段は、再生、逆再生、停止、早送り、巻戻し、コマ送り、コマ戻し、リピート再生のうちの１つ以上の指示を入力可能とされていることを特徴とする請求項１から請求項７のいずれか一項に記載の放射線画像表示装置。
【請求項９】
前記再生制御手段は、前記指示を、ユーザーによるマウス操作、タッチパネル操作又はジェスチャーによる操作により入力可能とされていることを特徴とする請求項８に記載の放射線画像表示装置。
【請求項１０】
前記画像調整手段は、予め設定された仕方に従って、前記プレビュー用の動画像に対して、濃度調整、コントラスト調整、拡大／縮小、パンニング、回転／反転のうちの１つ以上の画像調整を行うことを特徴とする請求項１から請求項９のいずれか一項に記載の放射線画像表示装置。
【請求項１１】
前記画像調整手段は、濃度調整、コントラスト調整、拡大／縮小、パンニング、回転／反転のうちの１つ以上の指示を入力可能とされていることを特徴とする請求項１から請求項１０のいずれか一項に記載の放射線画像表示装置。
【請求項１２】
前記画像調整手段は、前記指示を、ユーザーによるマウス操作、タッチパネル操作又はジェスチャーによる操作により入力可能とされていることを特徴とする請求項１１に記載の放射線画像表示装置。
【請求項１３】
ユーザーの操作により放射線による被写体の動画撮影の再撮影の指示を入力可能な再撮影指示手段を備えることを特徴とする請求項１から請求項１２のいずれか一項に記載の放射線画像表示装置。
【請求項１４】
ユーザーにより前記再撮影指示手段を介して前記再撮影の指示が入力されると、前記生成手段が保存している前記画像データを削除するか否かをユーザーに確認するように構成されていることを特徴とする請求項１３に記載の放射線画像表示装置。
【請求項１５】
ユーザーにより前記再撮影指示手段を介して前記再撮影の指示が入力されると、前記生成手段が保存している前記画像データを削除するか、保存したままにするかが予め決められていることを特徴とする請求項１３に記載の放射線画像表示装置。
【請求項１６】
前記生成手段は、前記プレビュー用の動画像を生成すると、前記複数のフレームの画像データに基づいて本画像としての動画像を生成することを特徴とする請求項１から請求項１５のいずれか一項に記載の放射線画像表示装置。
【請求項１７】
前記表示手段は、前記生成手段が前記本画像としての動画像を生成すると、前記プレビュー用の動画像に替えて、生成された前記動画像を前記表示部上に表示することを特徴とする請求項１６に記載の放射線画像表示装置。
【請求項１８】
請求項１から請求項１７のいずれか一項に記載の放射線画像表示装置と、
被写体に放射線を照射する放射線照射装置と、
前記フレームごとに、被写体を介して照射される放射線を前記画像データとして読み出して前記放射線画像表示装置に転送する放射線画像撮影装置と、
を備えることを特徴とする放射線画像撮影システム。
【発明の詳細な説明】
【技術分野】
【０００１】
本発明は、放射線画像表示装置及び放射線画像撮影システムに関する。
【背景技術】
【０００２】
複数の放射線検出素子が二次元状（マトリクス状）に配列され、被写体を透過した放射線を、各放射線検出素子で（すなわち画素ごとに）その強度に応じて画像データに変換して検出する放射線画像撮影装置（flat panel detectorや半導体イメージセンサー等ともいう。）は、従来、被写体を介して放射線を１回だけ照射して放射線画像撮影を行う、いわゆる静止画撮影（単純撮影等ともいう。）用に開発されてきた。
【０００３】
しかし、放射線画像撮影装置は、各放射線検出素子から読み出した画像データを装置内の記憶手段に保存するとともに、外部装置に転送することができるため、近年、放射線画像撮影装置に放射線を複数回照射して（あるいは放射線を連続的に照射するとともに放射線画像撮影装置で画像データの読み出し処理を複数回行って）被写体である患者の撮影部位の動画撮影を行う技術が開発されている。
【０００４】
動画撮影としては、例えば、撮影部位として被写体である患者の胸部に放射線を複数回照射して各フレーム画像を撮影する動態撮影がある。動態撮影では、例えば図１３に示すように、患者の肺野Ｒの各時間Ｔ（Ｔ＝ｔ０〜ｔ６）における各フレーム画像を得ることができる。そして、動画像を解析することで、肺野Ｒの最大吸気位や最大呼気位、呼気期、吸気期等を割り出し、さらに診断に使用可能な解析を行う試みがなされている（例えば特許文献１等参照）。
【０００５】
ところで、放射線画像撮影装置は、上記のように動画撮影を行いながら読み出した画像データを外部装置に転送することができる。そして、放射線画像表示装置は、放射線画像撮影装置から画像データ（後述するように間引きデータの場合もある。以下同じ。）が転送されてくると、画像データに対して、いわゆる本画像としての動画像を生成する際の精緻な画像処理よりも簡易な画像処理を施して画面上に速やかにプレビュー用の動画像を表示するように構成される場合がある。
【０００６】
このように構成すれば、放射線技師等の撮影者は、画面上に表示されたプレビュー用の動画像を見ることで、被写体が適切に撮影されているかや再撮影が必要か否か等の画像確認をリアルタイムに（すなわち動画撮影を行っている最中に）行うことが可能となる。
【０００７】
従来、放射線画像表示装置では、静止画撮影の際には、静止画像のプレビュー画像を生成してそれを画面上に表示するとともに、引き続き、自動的に本画像としての静止画像の生成処理を行うように構成される場合が多かった（例えば特許文献２等参照）。そのため、動画撮影の場合にも、放射線画像表示装置は、上記のようにプレビュー用の動画像を生成して画面上に表示させると、それに引き続き、自動的に本画像としての動画像の生成処理を開始するように構成される場合が多いと考えられる。
【先行技術文献】
【特許文献】
【０００８】
【特許文献１】特開２０１０−２６８９７９号公報
【特許文献２】特開２０１２−１２０７２４号公報
【発明の概要】
【発明が解決しようとする課題】
【０００９】
しかしながら、放射線画像表示装置を上記のように構成すると、例えば、放射線技師等の撮影者が、再撮影の要否の確認等のために、プレビュー用の動画像の濃度を変えたり（すなわち画像データの値を全体的に増減させたり）、画像を拡大したり、あるいはコマ送りで見たいような場合でも、放射線画像表示装置が本画像としての動画像を生成して画面上に表示するまで待たなければならなくなる。
【００１０】
しかし、これでは、撮影者が動画像（プレビュー用又は本画像としての動画像）の濃度を変える等の画像調整や動画像をコマ送りで見る等の再生制御をなかなか開始できなくなる。そのため、放射線画像表示装置が、撮影者にとって使い勝手が悪いものになる。
【００１１】
また、画像確認中は、再撮影の可能性が残っている。そして、再度、一から患者のポジショニングを行うことが撮影者の負担になるため、撮影者が画像を確認するまでは患者にそのままの位置や姿勢で待ってもらう場合がある。しかし、そのような場合に、上記のように、撮影者が動画像の画像調整や再生制御をなかなか開始できなくなり、撮影者による画像確認の開始が遅れると、被写体である患者にかかる負担も大きくなるといった問題が生じる可能性がある。
【００１２】
本発明は、上記の問題点を鑑みてなされたものであり、放射線による動画撮影の際に、ユーザーである放射線技師等の撮影者による画像確認を早期に行うことが可能で、患者にかかる負担を軽減することが可能な放射線画像表示装置及び放射線画像撮影システムを提供することを目的とする。
【課題を解決するための手段】
【００１３】
前記の問題を解決するために、本発明の放射線画像表示装置は、
放射線による被写体の動画撮影で得られた複数のフレームの画像データに基づいてプレビュー用の動画像を生成して表示部上に表示する放射線画像表示装置において、
前記複数のフレームの画像データに基づいて前記プレビュー用の動画像を生成する生成手段と、
前記生成手段が生成した前記プレビュー用の動画像を保持する保持手段と、
前記プレビュー用の動画像に対して再生制御を行う再生制御手段と、
前記プレビュー用の動画像に対して画像調整を行う画像調整手段と、
前記保持手段により保持されている前記プレビュー用の動画像を動画撮影中に前記表示部上に表示させるとともに、前記再生制御手段の再生制御に従って前記プレビュー用の動画像を前記表示部上に表示させ、又は前記画像調整手段が画像調整を行った前記プレビュー用の動画像を前記表示部上に表示させる表示手段と、
を備えることを特徴とする。
【００１４】
また、本発明の放射線画像撮影システムは、
上記の放射線画像表示装置と、
被写体に放射線を照射する放射線照射装置と、
前記フレームごとに、被写体を介して照射される放射線を前記画像データとして読み出して前記放射線画像表示装置に転送する放射線画像撮影装置と、
を備えることを特徴とする。
【発明の効果】
【００１５】
本発明のような方式の放射線画像表示装置及び放射線画像撮影システムによれば、放射線による動画撮影の際に、ユーザーである放射線技師等の撮影者による画像確認を早期に行うことが可能で、患者にかかる負担を軽減することが可能となる。
【図面の簡単な説明】
【００１６】
【図１】放射線画像撮影システムに用いられる放射線画像撮影装置の外観を示す斜視図である。
【図２】放射線画像撮影装置の等価回路を表すブロック図である。
【図３】本実施形態に係る放射線画像撮影システムの構成例を表す図である。
【図４】回診車上に構成された放射線画像撮影システムの構成例を表す図である。
【図５】携帯端末型の放射線画像表示装置の構成例を表す図である。
【図６】本実施形態に係る放射線画像表示装置の構成等を表すブロック図である。
【図７】画像データの抽出の仕方の一例を説明する図である。
【図８】本実施形態に係る放射線画像表示装置や放射線画像撮影システムにおける各処理の流れを説明するフローチャートである。
【図９】放射線画像表示装置の表示部上に表示される表示画面の例を表す図であり、再生制御用の画面が表示された場合を表す図である。
【図１０】放射線画像表示装置の表示部上に表示される表示画面の別の例を表す図であり、画像調整用の画面が表示された場合を表す図である。
【図１１】再撮影を行うことを確認する確認表示の例を表す図である。
【図１２】処理中の画像を削除するか否かを確認する確認表示の例を表す図である。
【図１３】患者の胸部の動態撮影で撮影される各フレーム画像の例を表す図である。
【発明を実施するための形態】
【００１７】
以下、本発明に係る放射線画像表示装置及び放射線画像撮影システムの実施の形態について、図面を参照して説明する。
【００１８】
［放射線画像撮影装置の構成について］
まず、本実施形態に係る放射線画像表示装置や放射線画像撮影システムを説明する前に、本実施形態に係る放射線画像撮影システムに用いられる放射線画像撮影装置の構成について簡単に説明する。なお、以下では、放射線画像撮影装置が、図示しないセンサーパネルが筐体２（後述する図１参照）内に収納された、いわゆる可搬型である場合について説明するが、本発明はこの場合に限定されず、例えば、センサーパネルが支持台等と一体的に形成された、いわゆる専用機型（据え付け型等ともいう。）の放射線画像撮影装置であってもよい。
【００１９】
図１は、放射線画像撮影装置の外観を示す斜視図であり、図２は、放射線画像撮影装置の等価回路を表すブロック図である。放射線画像撮影装置１は、図示しないセンサー基板上に二次元状（マトリクス状）に配列された複数の放射線検出素子７（図２参照）が筐体２（図１参照）内に収納されて形成されている。そして、図１に示すように、放射線画像撮影装置１の筐体２の一方の側面には、電源スイッチ２５や切替スイッチ２６、コネクター２７、インジケーター２８等が配置されている。また、図示を省略するが、筐体２の反対側の側面には、外部と無線方式で通信を行うためのアンテナ２９（後述する図２参照）が設けられている。
【００２０】
図２に示すように、各放射線検出素子７には、バイアス線９が接続されており、バイアス線９やそれらの結線１０を介してバイアス電源１４から逆バイアス電圧が印加される。また、各放射線検出素子７には、スイッチ素子として薄膜トランジスター（Thin Film Transistor。以下、ＴＦＴという。）８が接続されており、ＴＦＴ８は信号線６に接続されている。そして、各放射線検出素子７では、照射された放射線の線量に応じた電荷が各放射線検出素子７内でそれぞれ発生するようになっている。
【００２１】
また、走査駆動手段１５では、配線１５ｃを介して電源回路１５ａから供給されたオン電圧とオフ電圧がゲートドライバー１５ｂで切り替えられて走査線５の各ラインＬ１〜Ｌｘに印加される。そして、各ＴＦＴ８は、走査線５を介してオフ電圧が印加されるとオフ状態になり、放射線検出素子７と信号線６との導通を遮断して、電荷を放射線検出素子７内に蓄積させる。また、走査線５を介してオン電圧が印加されるとオン状態になり、放射線検出素子７内に蓄積された電荷を信号線６に放出させる。
【００２２】
各信号線６は、読み出しＩＣ１６内の各読み出し回路１７にそれぞれ接続されている。そして、画像データＤの読み出し処理の際には、ゲートドライバー１５ｂから走査線５の各ラインＬ１〜Ｌｘにオン電圧が順次印加される。そして、ＴＦＴ８がオン状態になると、放射線検出素子７から電荷がＴＦＴ８や信号線６を介して読み出し回路１７に流れ込み、増幅回路１８で、流れ込んだ電荷の量に応じた電圧値が出力される。相関二重サンプリング回路（図２では「ＣＤＳ」と記載されている。）１９は、増幅回路１８から出力された電圧値をアナログ値の画像データＤとして読み出して出力し、出力された画像データＤはアナログマルチプレクサー２１を介してＡ／Ｄ変換器２０に順次送信され、Ａ／Ｄ変換器２０でデジタル値の画像データＤに順次変換されて記憶手段２３に順次保存されるようになっている。
【００２３】
制御手段２２は、図示しないＣＰＵ（Central Processing Unit）やＲＯＭ（Read Only Memory）、ＲＡＭ（Random Access Memory）、入出力インターフェース等がバスに接続されたコンピューターや、ＦＰＧＡ（Field Programmable Gate Array）等で構成されている。専用の制御回路で構成されていてもよい。
【００２４】
また、制御手段２２には、ＳＲＡＭ（Static ＲＡＭ）やＳＤＲＡＭ（Synchronous ＤＲＡＭ）、ＮＡＮＤ型フラッシュメモリー等で構成される記憶手段２３や、リチウムイオンキャパシター等で構成される内蔵電源２４が接続されており、また、前述したアンテナ２９やコネクター２７を介して外部と無線方式や有線方式で通信を行うための通信部３０が接続されている。また、制御手段２２は、上記のように、バイアス電源１４から各放射線検出素子７への逆バイアス電圧の印加を制御したり、走査駆動手段１５や読み出し回路１７等の動作を制御して、各放射線検出素子７からの画像データＤの読み出し処理を行わせるようになっている。
【００２５】
そして、本実施形態では、制御手段２２は、動画撮影が行われる際には、各フレームごとに、画像データＤを読み出して記憶手段２３に保存するとともに通信部３０を介して後述する放射線画像表示装置６０（後述する図３や図４参照）に転送するようになっている。
【００２６】
なお、放射線画像撮影装置１は、動画撮影の開始前に、放射線が照射されない状態で、上記の画像データＤの読み出し処理と同様の処理シーケンスで読み出し処理を行ってオフセットデータＯを放射線検出素子７ごとに読み出し、読み出したオフセットデータＯを放射線画像表示装置６０に転送しておくように構成される。
【００２７】
［放射線画像撮影システムについて］
次に、本実施形態に係る放射線画像撮影システムについて説明する。放射線画像撮影システム１００は、例えば図３に示すように撮影室Ｒａ内や前室Ｒｂ内に構成することも可能であり、また、図４に示すように、回診車８０に搭載する等して構成することも可能である。
【００２８】
例えば図３に示すように、放射線画像撮影システム１００が撮影室Ｒａ内等に構成される場合、放射線画像撮影装置１は、撮影台５１（立位撮影用の撮影台５１Ａや臥位撮影用の撮影台５１Ｂ）のカセッテホルダー５１ａに装填されて撮影に用いられる。また、例えば、放射線画像撮影装置１を臥位撮影用の撮影台５１Ｂの天板上に横臥した図示しない被写体と天板との間に差し込む等して配置することも可能である。
【００２９】
撮影室Ｒａには、図示しない被写体に放射線を照射する放射線照射装置５２が少なくとも１つ設けられている。また、撮影室Ｒａには、撮影室Ｒａ内の各装置等や撮影室Ｒａ外の各装置等の間の無線方式や有線方式での通信等を中継するためのアクセスポイント５３を備えた中継器５４が設けられている。
【００３０】
中継器５４は、放射線画像撮影装置１と放射線画像表示装置６０との間の通信を中継するようになっている。また、中継器５４は、放射線照射装置５２のジェネレーター５５とも接続されており、中継器５４には、放射線画像撮影装置１等から放射線照射装置５２のジェネレーター５５に送信するＬＡＮ（Local Area Network）通信用の信号等を放射線照射装置５２用の信号等に変換し、また、その逆の変換も行う図示しない変換器が内蔵されている。
【００３１】
放射線照射装置５２のジェネレーター５５は、放射線技師等の撮影者により管電圧や管電流、照射時間（或いはｍＡｓ値）等が設定されると、放射線照射装置５２から、設定された管電圧等に応じた線量の放射線を照射させるなど、放射線照射装置５２に対して種々の制御を行うようになっている。
【００３２】
前室（操作室等ともいう。）Ｒｂには、放射線照射装置５２の操作卓５７が設けられており、操作卓５７には、放射線技師等の撮影者が操作してジェネレーター５５に対して放射線の照射開始等を指示するための曝射スイッチ５６が設けられている。また、前室Ｒｂには、放射線画像表示装置６０が設置されている。
【００３３】
なお、放射線画像表示装置６０を撮影室Ｒａや前室Ｒｂの外側や別室等に設けるように構成することも可能である。また、放射線画像表示装置６０の構成等については後で説明する。さらに、本実施形態では、放射線画像表示装置６０は、放射線画像撮影装置１や放射線照射装置５２のジェネレーター５５等に撮影開始を指示する等の制御を行うコンソールとしても機能するようになっているが、放射線画像表示装置６０とコンソールとを別体に構成することも可能である。
【００３４】
放射線画像表示装置６０には、ＣＲＴ（Cathode Ray Tube）やＬＣＤ（Liquid Crystal Display）等で構成される表示部６０ａや、入力手段６０ｂが設けられている。また、放射線画像表示装置６０には、ＨＤＤ（Hard Disk Drive）等で構成された記憶手段６０ｃが接続され、或いは内蔵されている。
【００３５】
本実施形態では、入力手段６０ｂは、マウスやタッチパネル等で構成されており、以下では、撮影者がマウスを操作して行うマウス操作により指示を入力する場合について説明するが、例えば、撮影者がタッチパネルにタッチして行うタッチパネル操作や、撮影者のジェスチャーによる操作（すなわち撮影者のジェスチャーを読み取らせて指示を入力する操作）によって指示を入力するように構成することも可能である。
【００３６】
一方、前述したように、図４に示すように、放射線照射装置５２や放射線画像表示装置６０等を回診車８０に搭載する等して放射線画像撮影システム１００を構成し、回診車８０を病室Ｒ１等に持ち込んで撮影を行うように構成することも可能である。なお、図示を省略するが、この場合、放射線照射装置５２のジェネレーター５５や中継器５４等は、回診車８０の本体部内に収納されている。
【００３７】
そして、この場合、放射線画像撮影装置１は、図４に示すようにベッドＢｅと被写体Ｈである患者との間に差し込まれたり、或いは患者の身体にあてがわれるようにして撮影に用いられる。そして、この場合も、放射線技師等の撮影者が曝射スイッチ５６を操作することで放射線照射装置５２から放射線が照射されて撮影が行われる。
【００３８】
なお、放射線画像表示装置６０を、図３や図４に示したようなデスクトップ型やノート型のコンピューターで構成することも可能であるが、例えば図５に示すように、放射線技師等の撮影者に携帯端末型の放射線画像表示装置６０を携帯させるように構成することも可能である。
【００３９】
また、本実施形態に係る放射線画像撮影システム１００では動画撮影が行われるようになっている。そして、前述したように、この場合、放射線照射装置５２から被写体を介して放射線画像撮影装置１に放射線を複数回照射し、放射線が照射されるごとに放射線画像撮影装置１で画像データＤの読み出し処理を行うようにして動画撮影を行うように構成することも可能であり、あるいは、放射線照射装置５２から被写体を介して放射線画像撮影装置１に放射線を連続的に照射し、放射線画像撮影装置１で画像データＤの読み出し処理を複数回行うことで動画撮影を行うように構成することも可能である。
【００４０】
そして、いずれの場合も、放射線画像撮影装置１は、フレームごとに、被写体を介して照射される放射線を画像データＤとして読み出して放射線画像表示装置６０に転送するようになっている。
【００４１】
［放射線画像表示装置の構成や作用について］
次に、本実施形態に係る放射線画像表示装置６０について説明する。本実施形態では、放射線画像表示装置６０は、図示しないＣＰＵやＲＯＭ、ＲＡＭ、入出力インターフェース等がバスに接続された汎用コンピューターで構成されていることが想定されているが、例えば専用の装置であってもよい。本実施形態では、放射線画像表示装置６０は、前述したように、放射線画像撮影装置１からフレームごとに画像データＤが転送されてくると、それらに基づいてプレビュー用の動画像を生成して表示部６０ａ（図３〜図５参照）上に表示するようになっている。
【００４２】
図６は、本実施形態に係る放射線画像表示装置の構成等を表すブロック図である。放射線画像表示装置６０は、生成手段６１と、保持手段６２と、表示手段６３と、再生制御手段６４と、画像調整手段６５とを備えている。
【００４３】
生成手段６１は、放射線画像撮影装置１からフレームごとに画像データＤが転送されてくると、それに基づいてプレビュー用の動画像ｐpre（以下、簡単にプレビュー画像ｐpreという。）を生成するようになっている。なお、以下、プレビュー画像ｐpreという場合、全てのフレームのプレビュー用のフレーム画像を指す場合もあり、また、一枚のプレビュー用のフレーム画像を指す場合もある。
【００４４】
本実施形態では、生成手段６１は、プレビュー画像ｐpreを生成する際には、画像データＤに基づいて本画像としての動画像ｐ（以下、簡単に本画像ｐという。なお、本画像ｐは複数のフレーム画像からなる。）を生成する際の画像処理よりも簡易な画像処理を行ってプレビュー画像ｐpreを生成するようになっている。しかし、放射線画像表示装置６０の性能が良く処理速度が速い場合には、プレビュー画像ｐpreを生成する際にも、本画像ｐを生成する際の画像処理と同等の精緻な画像処理を行うように構成することも可能である。
【００４５】
また、本実施形態では、生成手段６１は、動画撮影におけるフレームレート（すなわち放射線画像撮影装置１で画像データＤの読み出し処理を行う際のフレームレート）よりも低いフレームレートで表示部６０ａ上にプレビュー画像ｐpreが表示されるようにプレビュー画像ｐpreを生成するようになっている。なお、この場合も、放射線画像表示装置６０の性能が良く処理速度が速い場合には、表示のフレームレートを動画撮影におけるフレームレートと同じフレームレートとするように構成することも可能である。
【００４６】
表示のフレームレートを動画撮影におけるフレームレートよりも低いフレームレートにする際に、単にフレームレートを遅くするように構成することも可能である。しかし、このように構成すると、プレビュー画像ｐpreの表示のリアルタイム性を担保できなくなる。すなわち、仮に表示のフレームレートを動画撮影におけるフレームレートの１／２にして全てのプレビュー画像ｐpreを表示すると、動画撮影の開始と同時にプレビュー画像ｐpreが開始されたとしても、プレビュー画像ｐpreを全て表示するために、動画撮影に要する時間の２倍の時間がかかってしまい、動画撮影と同時にプレビュー画像ｐpreをリアルタイムで表示することができなくなる。
【００４７】
そのため、表示のフレームレートを動画撮影におけるフレームレートよりも低いフレームレートにする際に、生成手段６１は、例えば、放射線画像撮影装置１からフレームごとに画像データＤが転送されてくると、それらを一旦ＲＡＭ等に保存するとともに、所定の割合（すなわちｎフレーム（ｎは２以上の整数）ごとに１フレームの割合）でフレームを抽出し、抽出したフレームの画像データＤに基づいてプレビュー画像ｐpreを生成する。
【００４８】
そして、生成したプレビュー画像ｐpreを、動画撮影におけるフレームレートの１／ｎのフレームレートで表示させるようにすれば、全てのプレビュー画像ｐpreを表示するために要する時間と動画撮影に要する時間とが同じになり、動画撮影と同時にプレビュー画像ｐpreをリアルタイムで表示させることが可能となる。そして、このように、表示のフレームレートを動画撮影におけるフレームレートの１／ｎのフレームレートに低くすることができるため、性能がさほど良くない放射線画像表示装置６０であっても、上記のｎを適切に設定することで、動画撮影と同時にプレビュー画像ｐpreをリアルタイムで表示させることが可能となる。
【００４９】
なお、例えば、放射線画像撮影装置１と放射線画像表示装置６０（図３等の場合には中継器５４）との間の通信を無線方式で行う場合、無線通信で使用する周波数帯の混み具合等によって放射線画像撮影装置１から放射線画像表示装置６０への画像データＤの転送速度が変化する。そして、放射線画像撮影装置１から放射線画像表示装置６０への画像データＤの転送速度が低い場合には、動画撮影におけるフレームレートが高くても、撮影されたプレビュー画像ｐpreの画像データＤがフレームごとに転送されてくるレートが低くなり、実質的に、動画撮影におけるフレームレートが低下したのと同じ状態になる場合がある。
【００５０】
そして、フレームごとの画像データＤの転送レートが放射線画像表示装置６０における表示のフレームレート以下になれば、上記のように放射線画像表示装置６０側で上記のように所定の割合でフレームを抽出しなくても、プレビュー画像ｐpreの生成が間に合い、転送されてきた全てのフレームごとの画像データＤに基づいてプレビュー画像ｐpreをリアルタイムで（すなわち動画撮影と同時に）表示させることができる。
【００５１】
そのため、生成手段６１で、上記のように複数のフレームの中から所定の割合でフレームを抽出し、抽出したフレームの画像データＤに基づいてプレビュー画像ｐpreを生成するように構成する場合には、放射線画像撮影装置１から画像データＤが転送されてくる際の転送速度（すなわち転送レート）によってフレームを抽出する割合（全てのフレームを抽出する場合を含む。）を変更するように構成することが可能である。
【００５２】
一方、生成手段６１は、上記のようにプレビュー画像ｐpreの表示のフレームレートを動画撮影におけるフレームレートより低くする代わりに、あるいはそれとともに、放射線画像撮影装置１からフレームごとに転送されてくる画像データＤの中から、図７に示すように、図７に示すように、所定の割合で画像データＤを抽出し、それに基づいてプレビュー画像ｐpreを生成するように構成することも可能である。
【００５３】
このように構成しても、生成手段６１におけるプレビュー画像ｐpreの生成処理の負荷を低減することが可能となり、上記のようにフレームを抽出する場合と同様に、プレビュー画像ｐpreの生成の処理速度が向上するため、より高いフレームレートでプレビュー画像ｐpreを生成して表示させることが可能となり、プレビュー画像ｐpreをリアルタイムで表示させることが可能となる。
【００５４】
なお、図７では、画像データＤの抽出の仕方としては、ｎ行ｍ列の画像データＤ（ｎ，ｍ）の中から、図中に斜線を付して示すように、４行に１行の割合で画像データＤ（ｎ，ｍ）を抽出して、プレビュー用の画像データＤpreとする場合が示されている。なお、この他にも、図示を省略するが、例えば、３×３個や４×４個等の画像データＤの中から１個等の割合で画像データＤを抽出するように構成することも可能である。
【００５５】
本実施形態に係る放射線画像表示装置６０の、生成手段６１以外の各手段は、以下のように構成されている。
【００５６】
すなわち、保持手段６２（図６参照）は、上記のようにして生成手段６１が生成したプレビュー画像ｐpreを保持するようになっている。保持手段６２は、例えば、ＲＡＭ等の記憶手段で構成される。また、再生制御手段６４は、保持手段６２により保持されているプレビュー画像ｐpreに対して再生制御を行うようになっており、画像調整手段６５は、プレビュー画像ｐpreに対して画像調整を行うようになっている。
【００５７】
また、表示手段６３は、生成手段６１により生成されて保持手段６２に保持されるプレビュー画像ｐpreを動画撮影中に撮影と同時に表示部６０ａ（図３〜図５参照）上に表示させる。また、このようにプレビュー画像ｐpreを一旦表示した後、再生制御手段６４の再生制御に従ってプレビュー画像ｐpreを表示部６０ａ上に表示させたり、画像調整手段６５が画像調整を行ったプレビュー画像ｐpreを表示部６０ａ上に表示させるようになっている。
【００５８】
なお、本実施形態では、放射線画像表示装置６０の生成手段６１は、上記のようにして放射線画像撮影装置１から転送されてきたフレームごとの画像データＤに基づいてプレビュー画像ｐpreを生成して保持手段６２に保持させる処理が終了すると、引き続き、自動的に（すなわち撮影者等の指示がなくても）各フレームの画像データＤに精緻な画像処理を施して本画像ｐ（すなわち本画像としての動画像ｐ）を生成するようになっている。
【００５９】
また、放射線画像表示装置６０の表示手段６３は、上記のようにして生成手段６１が本画像ｐを生成すると、表示部６０ａ上に表示しているプレビュー画像ｐpreに替えて、生成された本画像ｐを表示部６０ａ上に表示するように構成することが可能である。本発明は、本画像ｐの生成を待たずに、プレビュー画像ｐpreの段階で撮影者が後述するようにプレビュー画像ｐpreに対して再生制御を行ったり画像調整を行うことで早期に画像確認を行うことを可能とするものであるが、本画像ｐが生成されたのであれば、プレビュー画像ｐpreではなく本画像ｐに基づいて画像確認を行えばよいからである。
【００６０】
しかし、撮影者がプレビュー画像ｐpreに対して再生制御を行ったり画像調整を行っている最中にプレビュー画像ｐpreが本画像ｐに切り替わってしまうと、プレビュー画像ｐpreに対して行っていた再生制御や画像調整の作業が無駄になってしまう可能性がある。そのため、上記のように構成する場合でも、例えば、撮影者がプレビュー画像ｐpreに対して再生制御や画像調整の処理を行っている間は、プレビュー画像ｐpreを表示した状態のままとし、本画像ｐへの表示の切り替えを行わないように構成することも可能である。
【００６１】
［本実施形態に係る放射線画像表示装置や放射線画像撮影システムの作用について］
以下、本実施形態に係る放射線画像表示装置６０や放射線画像撮影システム１００の作用について説明する。そして、図８に示すフローチャート等に基づいて、主に放射線画像表示装置６０の表示手段６３や再生制御手段６４、画像調整手段６５における処理等について説明する。
【００６２】
放射線技師等の撮影者の操作に基づいて放射線画像表示装置６０（コンソール）から放射線画像撮影装置１や放射線照射装置５２のジェネレーター５５等に動画撮影を開始する旨の指示が送られると（ステップＳ１）、放射線照射装置５２からの放射線の照射が開始され、放射線画像撮影装置１では画像データＤの読み出し処理が開始されて動画撮影が開始される。
【００６３】
そして、放射線画像撮影装置１からフレームごとに画像データＤが転送されてくると（ステップＳ２）、放射線画像表示装置６０の生成手段６１は、上記のようにして転送されてきた画像データＤに基づいてプレビュー画像ｐpre（すなわちプレビュー用の動画像ｐpre）を生成し（ステップＳ３）、保持手段６２は、生成手段６１が生成したプレビュー画像ｐpreを保持していく（ステップＳ４）。
【００６４】
そして、放射線画像表示装置６０の表示手段６３は、保持手段６２により保持されているプレビュー画像ｐpreを表示部６０ａ上に表示させて（ステップＳ５）、動画撮影中にリアルタイムにプレビュー画像ｐpreを表示させる。すなわち、本実施形態では、表示手段６３は、上記のようにして生成手段６１により動画撮影中にプレビュー用の動画像ｐpreが生成され、生成されたプレビュー用の動画像ｐpreが保持手段６２に保持されると、それを保持手段６２から読み出して、動画撮影中に表示部６０ａ上に表示させる。このようにして、プレビュー画像ｐpreの１回目の表示、すなわちいわゆるライブ表示が行われるようになっている。そして、生成手段６１や保持手段６２、表示手段６３は、動画撮影が終了するまで（ステップＳ６；Ｎｏ）上記の処理を続行する。
【００６５】
なお、本実施形態では、撮影者が放射線照射装置５２の曝射スイッチ５６（図３や図４参照）を操作している間、放射線照射装置５２から放射線が照射され、撮影者が曝射スイッチ５６に対する操作を止めると、放射線の照射が終了して動画撮影が終了するようになっている。しかし、予め放射線照射装置５２から放射線を照射させる回数や照射時間等を決めておき、設定回数に達したり照射時間が経過した時点で動画撮影を自動的に終了するように構成することも可能である。
【００６６】
そして、動画撮影が終了すると（ステップＳ６；Ｙｅｓ）あるいは動画撮影中にプレビュー画像ｐpreを表示する際に、放射線画像表示装置６０の表示手段６３は、表示部６０ａ上に、例えば図９に示すような表示画面を表示する。表示画面の中央には、プレビュー画像ｐpreが表示されるようになっている。また、プレビュー画像ｐpreの下方には、再生や一旦停止、停止等を表すアイコンやシークバー等の操作部７０が表示されるようになっている。
【００６７】
そして、撮影者によりこのアイコンがクリックされたりシークバーのスライダーが移動されたりして再生処理の指示があると（ステップＳ７；Ｙｅｓ）、表示手段６３は、撮影者の指示に従ってプレビュー画像ｐpreを再生させたり、再生を一時停止させたり、再生を停止させたり、あるいは撮影者により移動されたスライダーの位置に相当するプレビュー画像ｐpreから再生を開始する等の再生処理を行う（ステップＳ８）。
【００６８】
なお、本実施形態では、このようにプレビュー画像ｐpreの下側に表示されるアイコンやシークバーのスライダーに対する撮影者の操作に応じてプレビュー画像ｐpreを再生させる処理のことを再生処理といい、以下で説明する再生制御手段６４による再生制御とは個別して説明する。また、表示手段６３は、上記のように動画撮影が終了した時点で（ステップＳ６；Ｙｅｓ）、自動的に（すなわち撮影者による再生処理の指示がなくても）プレビュー画像ｐpreを再生させる再生処理を開始するように構成することも可能である。
【００６９】
一方、表示画面の左側には撮影条件が表示されるようになっており、画面中央に表示されているプレビュー画像ｐpreに対応する撮影条件（図９の場合は「胸部立位ＡＰ（動画）」）がフォーカスされて表示される。また、表示画面の右側には、再生制御と画像調整のタブが表示されるようになっており、本実施形態では、タブで再生制御と画像調整とを切り替えることができるようになっている。なお、図９では、再生制御用の画面が表示された場合が示されている。また、表示画面の右下には、再撮影を入力するための再撮影アイコン７１や全ての処理を終了する際にクリックする検査終了アイコン７２が表示される。
【００７０】
本実施形態では、図９に示すように、タブにより再生制御の画面に切り替えると、画面の右側に、再生制御のための各種のアイコン７３、すなわち早送り、巻戻し、コマ送り、コマ戻し、リピート再生、逆再生の各アイコン７３が表示されるようになっている。そして、撮影者は、これらのアイコン７３をクリックすることで、早送りや巻戻し、コマ送り、コマ戻し、リピート再生、逆再生の各処理を行うように指示を入力することができる。なお、この状態で操作部７０の再生アイコンをクリックすることで通常の再生処理を行わせたり、停止アイコンをクリックすることで再生を停止させることもできる。
【００７１】
そして、放射線画像表示装置６０の再生制御手段６４は、撮影者によりアイコン７３がクリックされたり操作部７０のアイコンがクリックされる等して再生制御の指示があると（ステップＳ９；Ｙｅｓ）、撮影者の指示に応じた内容の再生制御（すなわち早送り等）を行う（ステップＳ１０）。
【００７２】
なお、上記では、再生制御手段６４は、放射線技師等のユーザーの入力に従って早送り等の再生制御を行う場合について説明したが、どのような仕方で再生制御を行うかを再生制御手段６４に予め設定しておき、再生制御手段６４は、予め設定された仕方に従ってプレビュー画像ｐpreに対して、再生や逆再生、停止、早送り、巻戻し、コマ送り、コマ戻し、リピート再生のうちの１つ以上の再生制御を行うように構成することも可能である。
【００７３】
そして、放射線画像表示装置６０の表示手段６３は、上記の再生制御手段６４の早送り等の再生制御に従ってプレビュー画像ｐpreを表示部６０ａ上に表示させるようになっている。
【００７４】
一方、タブにより画像調整の画面に切り替えると、図１０に示すように、画面の右側に、画像調整のための各種のアイコン７４、すなわち濃度調整、コントラスト調整、拡大、縮小、回転、反転、パンニングの各アイコン７４が表示される。そして、撮影者は、これらのアイコン７４をクリックしたりスライダーバーをスライドさせたりすることで、濃度調整やコントラスト調整、拡大／縮小、回転／反転、パンニングの各処理を行うように指示を入力することができる。
【００７５】
そして、放射線画像表示装置６０の画像調整手段６５は、撮影者によりアイコン７４がクリックされる等して画像調整の指示があると（ステップＳ１１；Ｙｅｓ）、撮影者の指示に応じた内容の画像調整（すなわち濃度調整等）を行う（ステップＳ１２）。
【００７６】
なお、上記では、画像調整手段６５は、放射線技師等のユーザーの入力に従って濃度調整等の画像調整を行う場合について説明したが、どのような仕方で画像調整を行うかを画像調整手段６５に予め設定しておき、画像調整手段６５は、予め設定された仕方に従って、プレビュー画像ｐpreに対して、濃度調整、コントラスト調整、拡大／縮小、パンニング、回転／反転のうちの１つ以上の画像調整を行うように構成することも可能である。
【００７７】
そして、放射線画像表示装置６０の表示手段６３は、画像調整手段６５が濃度調整等の画像調整を行ったプレビュー画像ｐpreを表示部６０ａ上に表示させるようになっている。
【００７８】
また、本実施形態では、プレビュー画像ｐpreを見たり再生制御や画像調整を行った撮影者が、画像確認の結果、被写体が適切に撮影されていない等の理由で再撮影が必要であると判断した場合には、表示画面の右下の再撮影アイコン７１をクリックすることで放射線画像表示装置６０に再撮影の指示を入力することができるようになっている。
【００７９】
そして、放射線画像表示装置６０の表示手段６３は、撮影者により再撮影アイコン７１がクリックされて再撮影の指示が入力されると（ステップＳ１３；Ｙｅｓ）、図１１に示すように、再撮影を行うことを確認する確認表示７５を表示する。そして、それに対して「Ｙｅｓ」のアイコンがクリックされると、本実施形態では、表示手段６３は、続いて、図１２に示すように、生成手段６１が保存している画像データＤ等の現在処理中の画像に関するデータ（画像データＤや本画像ｐ、プレビュー画像ｐpre）を削除するか否かを確認する確認表示７６を表示する。
【００８０】
再撮影が必要であると撮影者が判断するケースでも種々の場合があり、例えば、プレビュー画像ｐpreに被写体が全く写っていないような場合や照射線量が明らかに不適切である場合、体動が発生している場合等がある。また、動画撮影はある程度適切に行われているが万が一に備えて再撮影を行うと判断する場合もある。そして、前者の場合には被写体が撮影されていない画像データＤ等を残しておいても仕方がないため画像データＤ等は削除されることになる。しかし、後者の場合、もし再撮影した方の撮影結果が悪く、先の動画撮影の方の画像データＤ等を採用したい事態が生じる可能性があると撮影者が判断する場合には、上記の確認表示７６では削除しないことが選択されることになる。
【００８１】
そのため、放射線画像表示装置６０は、上記の確認表示７６で画像を削除する旨の指示があった場合には（ステップＳ１４；Ｙｅｓ）、放射線画像表示装置６０で現在処理中の画像に関するデータを削除する（ステップＳ１５）。その際、画像データＤや本画像ｐ、プレビュー画像ｐpreのいずれを削除し、いずれを残すか、あるいは全てを削除するかを予め決めておいてもよく、あるいは撮影者に選択させるように構成することも可能である。
【００８２】
また、放射線画像表示装置６０は、上記の確認表示７６で画像を削除しない旨の指示があった場合には（ステップＳ１４；Ｎｏ）、現在処理中の画像に関するデータを例えば記憶手段６０ｃ（図３参照）等の予め決められた記憶手段に保存する（ステップＳ１６）。なお、再撮影を行う際に、撮影者に確認することなく、放射線画像表示装置６０で処理中の画像に関するデータを全て残しておくように構成することも可能であり、削除するか残すかは適宜決められる。
【００８３】
そして、再撮影の動画撮影が開始され（ステップＳ１）、再撮影の動画撮影に対しても以上の処理が行われる。また、全ての処理が終了し、撮影者により検査終了アイコン７２がクリックされると（ステップＳ１７；Ｙｅｓ）、放射線画像表示装置６０は処理を終了する。
【００８４】
［効果］
以上のように、本実施形態に係る放射線画像表示装置６０や放射線画像撮影システム１００によれば、放射線画像表示装置６０は、放射線画像撮影装置１からフレームごとに画像データＤが転送されてくると、それに基づいてプレビュー画像ｐpre（プレビュー用の動画像ｐpre）を生成して表示部６０ａ上に表示するとともに、本画像ｐ（本画像としての動画像ｐ）の生成を待たずに、プレビュー画像ｐpreの段階で放射線技師等の撮影者がプレビュー画像ｐpreに対して再生制御を行ったり画像調整を行うことで早期に画像確認を行うことが可能となる。
【００８５】
そのため、放射線画像表示装置６０や放射線画像撮影システム１００が撮影者にとって使い勝手や操作性が良いものとなる。また、画像確認を待つ間、被写体である患者は同じ姿勢で待たなければならないが、本実施形態に係る放射線画像表示装置６０や放射線画像撮影システム１００によれば、上記のように早期に画像確認を行うことが可能となるため、患者の待ち時間をより短くすることが可能となり、患者にかかる負担を軽減することが可能となる。
【００８６】
特に、回診車８０（図４参照）に放射線画像表示装置６０を搭載したり、撮影者が携帯する携帯端末型の放射線画像表示装置６０（図５参照）の場合、性能がさほど高くなく処理速度が遅い場合があるが、そのような場合、動画撮影が開始されてから本画像ｐが生成されて表示されるまでの時間が非常に長くなる場合がある。そのような場合に、本画像ｐが表示されるまで画像確認ができず患者を同じ姿勢で待たせなければならないと、患者にかかる負担が非常に重くなる。しかし、本実施形態に係る放射線画像表示装置６０や放射線画像撮影システム１００ではそのような事態は生じず、上記のように患者の待ち時間をより短くすることが可能となるため、上記のような場合でも患者にかかる負担が非常に軽くなる。
【００８７】
一方、例えば、集団検診のように撮影対象者が多く、動画撮影を何度も繰り返さなければならないような場合に、本画像ｐが表示されるまで画像確認ができず撮影対象者を交代させることができないと、１人の撮影対象者の動画撮影にかかる時間が長くなり、集団検診が始まってから終わるまでの時間が非常に長くなる。しかし、本実施形態に係る放射線画像表示装置６０や放射線画像撮影システム１００では、上記のように撮影対象者の待ち時間が短くなるため、１人の撮影対象者の動画撮影にかかる時間が短くなり、集団検診に要する時間が非常に短くなる。
【００８８】
なお、上記の実施形態では、放射線画像撮影装置１から放射線画像表示装置６０にフレームごとに画像データＤを転送し、放射線画像表示装置６０でプレビュー画像ｐpre用に所定の割合でフレームを抽出したり、画像データＤの中から所定の割合でプレビュー画像ｐpre用に抽出する場合について説明したが、その代わりに、放射線画像撮影装置１から放射線画像表示装置６０に画像データＤを転送する際に、所定の割合でフレームを抽出して転送したり、画像データＤの中から所定の割合でプレビュー画像ｐpre用に抽出して転送するように構成することも可能である。
【００８９】
また、本発明が上記の実施形態に限定されず、本発明の趣旨を逸脱しない限り、適宜変更可能であることは言うまでもない。
【符号の説明】
【００９０】
１  放射線画像撮影装置
５２  放射線照射装置
６０  放射線画像表示装置
６０ａ  表示部
６１  生成手段
６２  保持手段
６３  表示手段
６４  再生制御手段
６５  画像調整手段
７１  再撮影アイコン（再撮影指示手段）
１００  放射線画像撮影システム
Ｄ  画像データ
Ｈ  被写体
ｐ  本画像（本画像としての動画像）
ｐpre  プレビュー画像（プレビュー用の動画像）
【図１】
2018157869.tif 000003
【図２】
2018157869.tif 000004
【図３】
2018157869.tif 000005
【図４】
2018157869.tif 000006
【図５】
2018157869.tif 000007
【図６】
2018157869.tif 000008
【図７】
2018157869.tif 000009
【図８】
2018157869.tif 000010
【図９】
2018157869.tif 000011
【図１０】
2018157869.tif 000012
【図１１】
2018157869.tif 000013
【図１２】
2018157869.tif 000014
【図１３】
2018157869.tif 000015